(57)【要約】【課題】本発明は断熱手袋縫い設備を開示した。【解決手段】本体を含み、前記本体の中には左方に開口した第一空きチャンバが設置され、前記第一空きチャンバの頂端には第一スライド溝が連通するように設置され、前記第一空きチャンバの底壁の左端には第一回転軸が設置され、右端にはＣＮＣミシンが固定的に設置され、前記第一スライド溝の中には第一スライド板がスライドできるように設置され、前記第一スライド板と前記第一スライド溝の頂面には第一ばねが固定的に連結され、回転チャンバと前記第一空きチャンバとの間には第一回転軸が回転できるように設置され、前記第一回転軸の中には回転出し入れ装置が設置される。【選択図】図１
2020180420.tif 000002
【特許請求の範囲】
【請求項１】
正面視で、本体を含み、前記本体の中には左方に開口した第一空きチャンバが設置され、前記第一空きチャンバの頂端には第一スライド溝が連通するように設置され、前記第一空きチャンバの底壁の左端には第一回転軸が設置され、右端にはＣＮＣミシンが固定的に設置され、前記第一スライド溝の中には第一スライド板がスライドできるように設置され、前記第一スライド板と前記第一スライド溝の頂面には第一ばねが固定的に連結され、回転チャンバと前記第一空きチャンバとの間には第一回転軸が回転できるように設置され、前記第一回転軸の中には回転出し入れ装置が設置され、前記第一回転軸の末端には第一固定ブロックが固定的に設置され、前記第一固定ブロックの一端には第一ハンドルが固定的に設置され、前記第一固定ブロックのもう一端には手形モールドが回転できるように設置され、前記第一スライド溝の頂端には接着剤溝が連通するように設置され、前記接着剤溝と前記第一スライド板との間には接着剤補充装置が設置され、前記第一スライド溝と前記手形モールドとの間には押しディスペンサが設置され、前記押しディスペンサは前記第一スライド溝を含み、前記第一スライド溝と前記本体の外側にはハンドル回転軸が回転できるように設置され、前記ハンドル回転軸には第一ねじりばねが固定的に設置され、前記ハンドル回転軸の一端には第二ハンドルが固定的に設置され、前記第一スライド溝の頂端には第三空きチャンバが連通するように設置され、前記第一スライド溝の中にある前記ハンドル回転軸には前記第三空きチャンバの中に位置しているカムが固定的に設置され、前記カムが前記第一スライド板と接触しており、前記手形モールドと前記第一固定ブロックとの間には第二ねじりばねが設置され、前記手形モールドの中には第一ホースが設置され、前記第一ホースには連通溝が上方に貫通するように設置され、前記第一空きチャンバの右側にはＴ型抜き穴が連通するように設置され、前記Ｔ型抜き穴が前記手形モールドの外表面に沿って設置され、前記手形モールドの頂端には第一スライドブロックがスライドできるように設置され、前記第一スライドブロックの右端壁には第二スライド溝が連通するように設置され、前記第二スライド溝の中には前記第一スライドブロックと固定的に連結される第二スライドブロックがスライドできるように設置され、前記第二スライドブロックと前記第二スライド溝の底面には第二ばねが固定的に連結され、前記第一スライドブロックの底端には前記第一ホースの中に位置している第二スライド板が固定的に設置され、前記手形モールドの上下には第一永久磁石が固定的に設置され、前記第一永久磁石には第二永久磁石が吸着できるように設置され、前記第二永久磁石と前記第一永久磁石との間には断熱材料が挟まれていることを特徴とする断熱手袋縫い設備。
【請求項２】
前記回転出し入れ装置は前記第一回転軸を含み、前記回転チャンバの中にある前記第一回転軸の両端には第三永久磁石が固定的に設置され、前記回転チャンバの両端には前記第三永久磁石と吸引し合っている第四永久磁石が固定的に設置され、前記第一固定ブロックの頂端には上方に開口した凹溝が設置され、前記第一スライド板の底面には前記凹溝の中に挿入できる矩形ブロックが固定的に設置されることを特徴とする請求項１に記載の断熱手袋縫い設備。
【請求項３】
前記接着剤補充装置は前記接着剤溝を含み、前記接着剤溝の両端には第三スライド溝が連通するように設置され、前記第三スライド溝の中には斜めブロックがスライドできるように設置され、前記斜めブロックの斜面が前後両側に向いており、前記斜めブロックと前記第三スライド溝の端面との間には第三ばねが固定的に連結され、前記第一スライド板の中には上下に貫通している第四空きチャンバが設置され、前記第四空きチャンバの中には第二回転軸が回転できるように設置され、前記第二回転軸と前記第四空きチャンバの端壁との間には第三ねじりばねが連結するように設置され、前記第二回転軸には第二固定ブロックが固定的に設置され、前記第二固定ブロックが前記接着剤溝の中に挿入されることができ、前記第二固定ブロックの中には上下に貫通している第二ホースが設置されることを特徴とする請求項１に記載の断熱手袋縫い設備。
【発明の詳細な説明】
【技術分野】
【０００１】
本発明は保護用品分野を取り上げて、具体的には断熱手袋縫い設備である。
【背景技術】
【０００２】
周知のように、高温環境では、外部環境が高温水蒸気を生成し、伝統的な断熱手袋は縫われた後に密封性が低く、外部水蒸気が手袋の内部に入りやすく、水滴が生成され、ユーザーの操作に影響を与える。
従って、断熱手袋縫い設備を設計し上記問題を解決する必要があり、断熱材内部接着剤定量吐出を実現すると同時に、設備の操作が簡単で、実用性が強い。
【先行技術文献】
【特許文献】
【０００３】
【特許文献１】中国特許出願公開第１０８１３０６５７号明細書
【発明の概要】
【発明が解決しようとする課題】
【０００４】
本発明の目的は断熱手袋縫い設備を提供し、それは上記の現在の技術中の問題を解決できる。
【課題を解決するための手段】
【０００５】
本発明は以下の技術プランを通じて実現する：本発明の断熱手袋縫い設備は、本体を含み、前記本体の中には左方に開口した第一空きチャンバが設置され、前記第一空きチャンバの頂端には第一スライド溝が連通するように設置され、前記第一空きチャンバの底壁の左端には第一回転軸が設置され、右端にはＣＮＣミシンが固定的に設置され、前記第一スライド溝の中には第一スライド板がスライドできるように設置され、前記第一スライド板と前記第一スライド溝の頂面には第一ばねが固定的に連結され、回転チャンバと前記第一空きチャンバとの間には第一回転軸が回転できるように設置され、前記第一回転軸の中には回転出し入れ装置が設置され、前記第一回転軸の末端には第一固定ブロックが固定的に設置され、前記第一固定ブロックの一端には第一ハンドルが固定的に設置され、前記第一固定ブロックのもう一端には手形モールドが回転できるように設置され、前記第一スライド溝の頂端には接着剤溝が連通するように設置され、前記接着剤溝と前記第一スライド板との間には接着剤補充装置が設置され、前記第一スライド溝と前記手形モールドとの間には押しディスペンサが設置され、前記押しディスペンサは前記第一スライド溝を含み、前記第一スライド溝と前記本体の外側にはハンドル回転軸が回転できるように設置され、前記ハンドル回転軸には第一ねじりばねが固定的に設置され、前記ハンドル回転軸の一端には第二ハンドルが固定的に設置され、前記第一スライド溝の頂端には第三空きチャンバが連通するように設置され、前記第一スライド溝の中にある前記ハンドル回転軸には前記第三空きチャンバの中に位置しているカムが固定的に設置され、前記カムが前記第一スライド板と接触しており、前記手形モールドと前記第一固定ブロックとの間には第二ねじりばねが設置され、前記手形モールドの中には第一ホースが設置され、前記第一ホースには連通溝が上方に貫通するように設置され、前記第一空きチャンバの右側にはＴ型抜き穴が連通するように設置され、前記Ｔ型抜き穴が前記手形モールドの外表面に沿って設置され、前記手形モールドの頂端には第一スライドブロックがスライドできるように設置され、前記第一スライドブロックの右端壁には第二スライド溝が連通するように設置され、前記第二スライド溝の中には前記第一スライドブロックと固定的に連結される第二スライドブロックがスライドできるように設置され、前記第二スライドブロックと前記第二スライド溝の底面には第二ばねが固定的に連結され、前記第一スライドブロックの底端には前記第一ホースの中に位置している第二スライド板が固定的に設置され、前記手形モールドの上下には第一永久磁石が固定的に設置され、前記第一永久磁石には第二永久磁石が吸着できるように設置され、前記第二永久磁石と前記第一永久磁石との間には断熱材料が挟まれている。
【０００６】
優選的には、前記回転出し入れ装置は前記第一回転軸を含み、前記回転チャンバの中にある前記第一回転軸の両端には第三永久磁石が固定的に設置され、前記回転チャンバの両端には前記第三永久磁石と吸引し合っている第四永久磁石が固定的に設置され、前記第一固定ブロックの頂端には上方に開口した凹溝が設置され、前記第一スライド板の底面には前記凹溝の中に挿入できる矩形ブロックが固定的に設置される。
【０００７】
優選的には、前記接着剤補充装置は前記接着剤溝を含み、前記接着剤溝の両端には第三スライド溝が連通するように設置され、前記第三スライド溝の中には斜めブロックがスライドできるように設置され、前記斜めブロックの斜面が前後両側に向いており、前記斜めブロックと前記第三スライド溝の端面との間には第三ばねが固定的に連結され、前記第一スライド板の中には上下に貫通している第四空きチャンバが設置され、前記第四空きチャンバの中には第二回転軸が回転できるように設置され、前記第二回転軸と前記第四空きチャンバの端壁との間には第三ねじりばねが連結するように設置され、前記第二回転軸には第二固定ブロックが固定的に設置され、前記第二固定ブロックが前記接着剤溝の中に挿入されることができ、前記第二固定ブロックの中には上下に貫通している第二ホースが設置される。
【発明の効果】
【０００８】
以上により、本発明の断熱手袋縫い設備は運動エネルギーの利用率が高く、反応が速く、操作が簡単であり、同時に、本発明の装置は接着剤定量吐出効率が高く、メンテナンスが簡単で、実用性が強い。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の断熱手袋縫い設備の全体構造概略図
【図２】図２は図１のＡの拡大構造概略図
【図３】図３は図１のＢの拡大構造概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３に示すように、本発明の断熱手袋縫い設備は、本体１０を含み、前記本体１０の中には左方に開口した第一空きチャンバ１５が設置され、前記第一空きチャンバ１５の頂端には第一スライド溝１１が連通するように設置され、前記第一空きチャンバ１５の底壁の左端には第一回転軸２２が設置され、右端にはＣＮＣミシン３４が固定的に設置され、前記第一スライド溝１１の中には第一スライド板１３がスライドできるように設置され、前記第一スライド板１３と前記第一スライド溝１１の頂面には第一ばね１２が固定的に連結され、回転チャンバ２０と前記第一空きチャンバ１５との間には第一回転軸２２が回転できるように設置され、前記第一回転軸２２の中には回転出し入れ装置９１が設置され、前記第一回転軸２２の末端には第一固定ブロック１８が固定的に設置され、前記第一固定ブロック１８の一端には第一ハンドル１７が固定的に設置され、前記第一固定ブロック１８のもう一端には手形モールド２９が回転できるように設置され、前記第一スライド溝１１の頂端には接着剤溝４０が連通するように設置され、前記接着剤溝４０と前記第一スライド板１３との間には接着剤補充装置９０が設置され、前記第一スライド溝１１と前記手形モールド２９との間には押しディスペンサ９２が設置され、前記押しディスペンサ９２は前記第一スライド溝１１を含み、前記第一スライド溝１１と前記本体１０の外側にはハンドル回転軸３７が回転できるように設置され、前記ハンドル回転軸３７には第一ねじりばね３６が固定的に設置され、前記ハンドル回転軸３７の一端には第二ハンドル３５が固定的に設置され、前記第一スライド溝１１の頂端には第三空きチャンバ３９が連通するように設置され、前記第一スライド溝１１の中にある前記ハンドル回転軸３７には前記第三空きチャンバ３９の中に位置しているカム３８が固定的に設置され、前記カム３８が前記第一スライド板１３と接触しており、前記手形モールド２９と前記第一固定ブロック１８との間には第二ねじりばね２３が設置され、前記手形モールド２９の中には第一ホース２５が設置され、前記第一ホース２５には連通溝２４が上方に貫通するように設置され、前記第一空きチャンバ１５の右側にはＴ型抜き穴３３が連通するように設置され、前記Ｔ型抜き穴３３が前記手形モールド２９の外表面に沿って設置され、前記手形モールド２９の頂端には第一スライドブロック２７がスライドできるように設置され、前記第一スライドブロック２７の右端壁には第二スライド溝５１が連通するように設置され、前記第二スライド溝５１の中には前記第一スライドブロック２７と固定的に連結される第二スライドブロック５０がスライドできるように設置され、前記第二スライドブロック５０と前記第二スライド溝５１の底面には第二ばね４９が固定的に連結され、前記第一スライドブロック２７の底端には前記第一ホース２５の中に位置している第二スライド板２６が固定的に設置され、前記手形モールド２９の上下には第一永久磁石３２が固定的に設置され、前記第一永久磁石３２には第二永久磁石３０が吸着できるように設置され、前記第二永久磁石３０と前記第一永久磁石３２との間には断熱材料３１が挟まれている。
【００１３】
有益的には、前記回転出し入れ装置９１は前記第一回転軸２２を含み、前記回転チャンバ２０の中にある前記第一回転軸２２の両端には第三永久磁石２１が固定的に設置され、前記回転チャンバ２０の両端には前記第三永久磁石２１と吸引し合っている第四永久磁石１９が固定的に設置され、前記第一固定ブロック１８の頂端には上方に開口した凹溝１６が設置され、前記第一スライド板１３の底面には前記凹溝１６の中に挿入できる矩形ブロック１４が固定的に設置される。
【００１４】
有益的には、図１と図３に示すように、前記接着剤補充装置９０は前記接着剤溝４０を含み、前記接着剤溝４０の両端には第三スライド溝４８が連通するように設置され、前記第三スライド溝４８の中には斜めブロック４６がスライドできるように設置され、前記斜めブロック４６の斜面が前後両側に向いており、前記斜めブロック４６と前記第三スライド溝４８の端面との間には第三ばね４７が固定的に連結され、前記第一スライド板１３の中には上下に貫通している第四空きチャンバ４３が設置され、前記第四空きチャンバ４３の中には第二回転軸４１が回転できるように設置され、前記第二回転軸４１と前記第四空きチャンバ４３の端壁との間には第三ねじりばね４２が連結するように設置され、前記第二回転軸４１には第二固定ブロック４５が固定的に設置され、前記第二固定ブロック４５が前記接着剤溝４０の中に挿入されることができ、前記第二固定ブロック４５の中には上下に貫通している第二ホース４４が設置される。
【００１５】
下記に、図１〜３と上記記述した本出願の断熱手袋縫い設備の具体的な構成を参考し、本出願の断熱手袋縫い設備の使用方法を詳しく紹介する：
【００１６】
まず、初期状態では、前記矩形ブロック１４が前記凹溝１６の中に挿入されていなく、前記カム３８が前記第一スライド板１３を押していなく、前記第二ホース４４が終始に前記接着剤溝４０を連通しており、前記ＣＮＣミシン３４が静止状態にある。
【００１７】
材料を挟んで取り付けるときに、前記第一ハンドル１７をプッシュし第一回転軸２２を回転連動させ、前記手形モールド２９を前記本体１０の外側に位置させ、前記第三永久磁石２１と前記第四永久磁石１９とが吸引し合った後、前記断熱材料３１を前記第一永久磁石３２と前記第二永久磁石３０との間で挟み、そして前記手形モールド２９を前記第一空きチャンバ１５の中までプッシュする。
【００１８】
接着剤定量吐出するときに、下に前記第二ハンドル３５を振らせ、前記第二ハンドル３５が前記カム３８を連動させ、前記カム３８に前記第一スライド板１３を押させ、前記第一スライド板１３が下にスライドし前記矩形ブロック１４を前記凹溝１６の中に入らせ、このとき前記第一回転軸２２がロックされ回転できなく、前記第一スライド板１３が下方にスライドし続け、前記第一スライドブロック２７を押し、前記第一スライドブロック２７が前記第二スライド板２６を連動させ、前記第二スライド板２６に前記第一ホース２５を下方に押させ、前記第一ホース２５の中にある接着剤が押されて前記Ｔ型抜き穴３３により前記断熱材料３１の一端に定量吐出され、接着剤定量吐出が完成した後、前記ＣＮＣミシン３４を始動し、前記ＣＮＣミシン３４に縫いを行わせる。
【００１９】
接着剤定量吐出が完成した後、前記第二ハンドル３５を放し、前記第二ハンドル３５が前記第一ねじりばね３６の弾性力のもとで初期位置に戻り、前記第一スライド板１３が前記第一ばね１２の弾性力のもとで上方にスライドし初期位置に戻り、前記第一スライドブロック２７が前記第二ばね４９の弾性力のもとで初期位置に戻り、前記第一スライドブロック２７が前記第二スライド板２６を上方にスライド連動させ、前記第一ホース２５が前記連通溝２４と前記第二ホース４４とにより接着剤を補充し、前記矩形ブロック１４が前記凹溝１６から伸び出した後、再び前記第一ハンドル１７を回し、縫われた前記断熱材料３１を取り出せばよい。
【００２０】
以上により、本発明の断熱手袋縫い設備は運動エネルギーの利用率が高く、反応が速く、操作が簡単であり、同時に、本発明の装置は接着剤定量吐出効率が高く、メンテナンスが簡単で、実用性が強い。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020180420.tif 000003
【図２】
2020180420.tif 000004
【図３】
2020180420.tif 000005
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の中には左方に開口した第一空きチャンバが設置され、前記第一空きチャンバの頂端には第一スライド溝が連通するように設置され、前記第一空きチャンバの底壁の左端には回転チャンバが設置され、右端にはＣＮＣミシンが固定的に設置され、前記第一スライド溝の中には第一スライド板がスライドできるように設置され、前記第一スライド板と前記第一スライド溝の頂面には第一ばねが固定的に連結され、前記回転チャンバの内部の底壁には前記第一空きチャンバに伸びた第一回転軸が回転できるように設置され、前記第一回転軸の中には回転出し入れ装置が設置され、前記第一回転軸の頂部末端には前記第一空きチャンバの中に位置した第一固定ブロックが固定的に設置され、前記第一固定ブロックの外円には前記本体の左側端面より伸びだした第一ハンドルが固定的に設置され、且つ前記第一固定ブロックのうち前記第一ハンドルから離れた外円には手形モールドが回転できるように設置され、前記第一スライド溝の頂端には接着剤溝が連通するように設置され、前記接着剤溝と前記第一スライド板との間には接着剤補充装置が設置され、前記手形モールドの中には押しディスペンサが設置され、前記押しディスペンサは前記第一スライド溝を含み、前記第一スライド溝と前記本体の外側にはハンドル回転軸が回転できるように設置され、前記ハンドル回転軸には第一ねじりばねが固定的に設置され、前記ハンドル回転軸のうち前記本体より伸びだした一端には第二ハンドルが固定的に設置され、前記第一スライド溝の頂端には第三空きチャンバが連通するように設置され、前記第一スライド溝の中にある前記ハンドル回転軸には前記第三空きチャンバの中に位置しているカムが固定的に設置され、前記カムが前記第一スライド板と接触しており、前記手形モールドと前記第一固定ブロックとの間には第二ねじりばねが設置され、前記手形モールドの中には第一ホースが設置され、前記第一ホースの内部の頂壁には外部に連通した連通溝が設置され、前記第一空きチャンバの右側にはＴ型抜き穴が連通するように設置され、前記Ｔ型抜き穴が前記手形モールドの外表面に沿って設置され、前記手形モールドの頂端には第一スライドブロックがスライドできるように設置され、前記手形モールドの中には第二スライド溝が設置され、前記第二スライド溝の中には前記第一スライドブロックと固定的に連結される第二スライドブロックがスライドできるように設置され、前記第二スライドブロックと前記第二スライド溝の底面には第二ばねが固定的に連結され、前記第一スライドブロックの底端には前記第一ホースの中に位置している第二スライド板が固定的に設置され、前記手形モールドの上下には第一永久磁石が固定的に設置され、前記第一永久磁石には第二永久磁石が吸着できるように設置され、前記第二永久磁石と前記第一永久磁石との間には断熱材料が挟まれており、
前記接着剤補充装置は前記接着剤溝の両側内壁の中に左右対称に設置された第三スライド溝を含み、前記第三スライド溝の中には斜めブロックがスライドできるように設置され、前記斜めブロックの斜面が前後両側に向いており、前記斜めブロックと前記第三スライド溝の端面との間には第三ばねが固定的に連結され、前記第一スライド板の中には上下に貫通している第四空きチャンバが設置され、前記第四空きチャンバの中には第二回転軸が回転できるように設置され、前記第二回転軸と前記第四空きチャンバの端壁との間には第三ねじりばねが連結するように設置され、前記第二回転軸には第二固定ブロックが固定的に設置され、前記第二固定ブロックが前記接着剤溝の中に挿入されることができ、前記第二固定ブロックの中には上下に貫通している第二ホースが設置されることを特徴とする断熱手袋縫い設備。
【請求項２】
前記回転出し入れ装置は前記第一回転軸の外円の両側に固定的に設置された第三永久磁石を含み、前記回転チャンバの両端には前記第三永久磁石と吸引し合っている第四永久磁石が固定的に設置され、前記第一固定ブロックの頂端には上方に開口した凹溝が設置され、前記第一スライド板の底面には前記凹溝の中に挿入できる矩形ブロックが固定的に設置されることを特徴とする請求項１に記載の断熱手袋縫い設備。
【手続補正２】
【補正対象書類名】明細書
【補正対象項目名】全文
【補正方法】変更
【補正の内容】
【発明の詳細な説明】
【技術分野】
【０００１】
本発明は保護用品分野を取り上げて、具体的には断熱手袋縫い設備である。
【背景技術】
【０００２】
周知のように、高温環境では、外部環境が高温水蒸気を生成し、伝統的な断熱手袋は縫われた後に密封性が低く、外部水蒸気が手袋の内部に入りやすく、水滴が生成され、ユーザーの操作に影響を与える。
従って、断熱手袋縫い設備を設計し上記問題を解決する必要があり、断熱材内部接着剤定量吐出を実現すると同時に、設備の操作が簡単で、実用性が強い。
【先行技術文献】
【特許文献】
【０００３】
【特許文献１】中国特許出願公開第１０８１３０６５７号明細書
【発明の概要】
【発明が解決しようとする課題】
【０００４】
本発明の目的は断熱手袋縫い設備を提供し、それは上記の現在の技術中の問題を解決できる。
【課題を解決するための手段】
【０００５】
本発明は以下の技術プランを通じて実現する：本発明の断熱手袋縫い設備は、本体を含み、前記本体の中には左方に開口した第一空きチャンバが設置され、前記第一空きチャンバの頂端には第一スライド溝が連通するように設置され、前記第一空きチャンバの底壁の左端には回転チャンバが設置され、右端にはＣＮＣミシンが固定的に設置され、前記第一スライド溝の中には第一スライド板がスライドできるように設置され、前記第一スライド板と前記第一スライド溝の頂面には第一ばねが固定的に連結され、前記回転チャンバの内部の底壁には前記第一空きチャンバに伸びた第一回転軸が回転できるように設置され、前記第一回転軸の中には回転出し入れ装置が設置され、前記第一回転軸の頂部末端には前記第一空きチャンバの中に位置した第一固定ブロックが固定的に設置され、前記第一固定ブロックの外円には前記本体の左側端面より伸びだした第一ハンドルが固定的に設置され、且つ前記第一固定ブロックのうち前記第一ハンドルから離れた外円には手形モールドが回転できるように設置され、前記第一スライド溝の頂端には接着剤溝が連通するように設置され、前記接着剤溝と前記第一スライド板との間には接着剤補充装置が設置され、前記手形モールドの中には押しディスペンサが設置され、前記押しディスペンサは前記第一スライド溝を含み、前記第一スライド溝と前記本体の外側にはハンドル回転軸が回転できるように設置され、前記ハンドル回転軸には第一ねじりばねが固定的に設置され、前記ハンドル回転軸のうち前記本体より伸びだした一端には第二ハンドルが固定的に設置され、前記第一スライド溝の頂端には第三空きチャンバが連通するように設置され、前記第一スライド溝の中にある前記ハンドル回転軸には前記第三空きチャンバの中に位置しているカムが固定的に設置され、前記カムが前記第一スライド板と接触しており、前記手形モールドと前記第一固定ブロックとの間には第二ねじりばねが設置され、前記手形モールドの中には第一ホースが設置され、前記第一ホースの内部の頂壁には外部に連通した連通溝が設置され、前記第一空きチャンバの右側にはＴ型抜き穴が連通するように設置され、前記Ｔ型抜き穴が前記手形モールドの外表面に沿って設置され、前記手形モールドの頂端には第一スライドブロックがスライドできるように設置され、前記手形モールドの中には第二スライド溝が設置され、前記第二スライド溝の中には前記第一スライドブロックと固定的に連結される第二スライドブロックがスライドできるように設置され、前記第二スライドブロックと前記第二スライド溝の底面には第二ばねが固定的に連結され、前記第一スライドブロックの底端には前記第一ホースの中に位置している第二スライド板が固定的に設置され、前記手形モールドの上下には第一永久磁石が固定的に設置され、前記第一永久磁石には第二永久磁石が吸着できるように設置され、前記第二永久磁石と前記第一永久磁石との間には断熱材料が挟まれている。
【０００６】
優選的には、前記回転出し入れ装置は前記第一回転軸の外円の両側に固定的に設置された第三永久磁石を含み、前記回転チャンバの両端には前記第三永久磁石と吸引し合っている第四永久磁石が固定的に設置され、前記第一固定ブロックの頂端には上方に開口した凹溝が設置され、前記第一スライド板の底面には前記凹溝の中に挿入できる矩形ブロックが固定的に設置される。
【０００７】
優選的には、前記接着剤補充装置は前記接着剤溝の両側内壁の中に左右対称に設置された第三スライド溝を含み、前記第三スライド溝の中には斜めブロックがスライドできるように設置され、前記斜めブロックの斜面が前後両側に向いており、前記斜めブロックと前記第三スライド溝の端面との間には第三ばねが固定的に連結され、前記第一スライド板の中には上下に貫通している第四空きチャンバが設置され、前記第四空きチャンバの中には第二回転軸が回転できるように設置され、前記第二回転軸と前記第四空きチャンバの端壁との間には第三ねじりばねが連結するように設置され、前記第二回転軸には第二固定ブロックが固定的に設置され、前記第二固定ブロックが前記接着剤溝の中に挿入されることができ、前記第二固定ブロックの中には上下に貫通している第二ホースが設置される。
【発明の効果】
【０００８】
以上により、本発明の断熱手袋縫い設備は運動エネルギーの利用率が高く、反応が速く、操作が簡単であり、同時に、本発明の装置は接着剤定量吐出効率が高く、メンテナンスが簡単で、実用性が強い。
【図面の簡単な説明】
【０００９】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の断熱手袋縫い設備の全体構造概略図
【図２】図２は図１のＡの拡大構造概略図
【図３】図３は図１のＢの拡大構造概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜３に示すように、本発明の断熱手袋縫い設備は、本体１０を含み、前記本体１０の中には左方に開口した第一空きチャンバ１５が設置され、前記第一空きチャンバ１５の頂端には第一スライド溝１１が連通するように設置され、前記第一空きチャンバ１５の底壁の左端には回転チャンバ２０が設置され、右端にはＣＮＣミシン３４が固定的に設置され、前記第一スライド溝１１の中には第一スライド板１３がスライドできるように設置され、前記第一スライド板１３と前記第一スライド溝１１の頂面には第一ばね１２が固定的に連結され、前記回転チャンバ２０の内部の底壁には前記第一空きチャンバ１５に伸びた第一回転軸２２が回転できるように設置され、前記第一回転軸２２の中には回転出し入れ装置９１が設置され、前記第一回転軸２２の頂部末端には前記第一空きチャンバ１５の中に位置した第一固定ブロック１８が固定的に設置され、前記第一固定ブロック１８の外円には前記本体１０の左側端面より伸びだした第一ハンドル１７が固定的に設置され、且つ前記第一固定ブロック１８のうち前記第一ハンドル１７から離れた外円には手形モールド２９が回転できるように設置され、前記第一スライド溝１１の頂端には接着剤溝４０が連通するように設置され、前記接着剤溝４０と前記第一スライド板１３との間には接着剤補充装置９０が設置され、前記手形モールド２９の中には押しディスペンサ９２が設置され、前記押しディスペンサ９２は前記第一スライド溝１１を含み、前記第一スライド溝１１と前記本体１０の外側にはハンドル回転軸３７が回転できるように設置され、前記ハンドル回転軸３７には第一ねじりばね３６が固定的に設置され、前記ハンドル回転軸３７のうち前記本体１０より伸びだした一端には第二ハンドル３５が固定的に設置され、前記第一スライド溝１１の頂端には第三空きチャンバ３９が連通するように設置され、前記第一スライド溝１１の中にある前記ハンドル回転軸３７には前記第三空きチャンバ３９の中に位置しているカム３８が固定的に設置され、前記カム３８が前記第一スライド板１３と接触しており、前記手形モールド２９と前記第一固定ブロック１８との間には第二ねじりばね２３が設置され、前記手形モールド２９の中には第一ホース２５が設置され、前記第一ホース２５の内部の頂壁には外部に連通した連通溝２４が設置され、前記第一空きチャンバ１５の右側にはＴ型抜き穴３３が連通するように設置され、前記Ｔ型抜き穴３３が前記手形モールド２９の外表面に沿って設置され、前記手形モールド２９の頂端には第一スライドブロック２７がスライドできるように設置され、前記手形モールド２９の中には第二スライド溝５１が設置され、前記第二スライド溝５１の中には前記第一スライドブロック２７と固定的に連結される第二スライドブロック５０がスライドできるように設置され、前記第二スライドブロック５０と前記第二スライド溝５１の底面には第二ばね４９が固定的に連結され、前記第一スライドブロック２７の底端には前記第一ホース２５の中に位置している第二スライド板２６が固定的に設置され、前記手形モールド２９の上下には第一永久磁石３２が固定的に設置され、前記第一永久磁石３２には第二永久磁石３０が吸着できるように設置され、前記第二永久磁石３０と前記第一永久磁石３２との間には断熱材料３１が挟まれている。
【００１３】
有益的には、前記回転出し入れ装置９１は前記第一回転軸２２の外円の両側に固定的に設置された第三永久磁石２１を含み、前記回転チャンバ２０の両端には前記第三永久磁石２１と吸引し合っている第四永久磁石１９が固定的に設置され、前記第一固定ブロック１８の頂端には上方に開口した凹溝１６が設置され、前記第一スライド板１３の底面には前記凹溝１６の中に挿入できる矩形ブロック１４が固定的に設置される。
【００１４】
有益的には、図１と図３に示すように、前記接着剤補充装置９０は前記接着剤溝４０の両側内壁の中に左右対称に設置された第三スライド溝４８を含み、前記第三スライド溝４８の中には斜めブロック４６がスライドできるように設置され、前記斜めブロック４６の斜面が前後両側に向いており、前記斜めブロック４６と前記第三スライド溝４８の端面との間には第三ばね４７が固定的に連結され、前記第一スライド板１３の中には上下に貫通している第四空きチャンバ４３が設置され、前記第四空きチャンバ４３の中には第二回転軸４１が回転できるように設置され、前記第二回転軸４１と前記第四空きチャンバ４３の端壁との間には第三ねじりばね４２が連結するように設置され、前記第二回転軸４１には第二固定ブロック４５が固定的に設置され、前記第二固定ブロック４５が前記接着剤溝４０の中に挿入されることができ、前記第二固定ブロック４５の中には上下に貫通している第二ホース４４が設置される。
【００１５】
下記に、図１〜３と上記記述した本出願の断熱手袋縫い設備の具体的な構成を参考し、本出願の断熱手袋縫い設備の使用方法を詳しく紹介する：
【００１６】
まず、初期状態では、前記矩形ブロック１４が前記凹溝１６の中に挿入されていなく、前記カム３８が前記第一スライド板１３を押していなく、前記第二ホース４４が終始に前記接着剤溝４０を連通しており、前記ＣＮＣミシン３４が静止状態にある。
【００１７】
材料を挟んで取り付けるときに、前記第一ハンドル１７をプッシュし第一回転軸２２を回転連動させ、前記手形モールド２９を前記本体１０の外側に位置させ、前記第三永久磁石２１と前記第四永久磁石１９とが吸引し合った後、前記断熱材料３１を前記第一永久磁石３２と前記第二永久磁石３０との間で挟み、そして前記手形モールド２９を前記第一空きチャンバ１５の中までプッシュする。
【００１８】
接着剤定量吐出するときに、下に前記第二ハンドル３５を振らせ、前記第二ハンドル３５が前記カム３８を連動させ、前記カム３８に前記第一スライド板１３を押させ、前記第一スライド板１３が下にスライドし前記矩形ブロック１４を前記凹溝１６の中に入らせ、このとき前記第一回転軸２２がロックされ回転できなく、前記第一スライド板１３が下方にスライドし続け、前記第一スライドブロック２７を押し、前記第一スライドブロック２７が前記第二スライド板２６を連動させ、前記第二スライド板２６に前記第一ホース２５の中の接着剤を下方に押させ、前記第一ホース２５の中にある接着剤が押されて前記Ｔ型抜き穴３３により前記断熱材料３１の一端に定量吐出され、接着剤定量吐出が完成した後、前記ＣＮＣミシン３４を始動し、前記ＣＮＣミシン３４に縫いを行わせる。
【００１９】
接着剤定量吐出が完成した後、前記第二ハンドル３５を放し、前記第二ハンドル３５が前記第一ねじりばね３６の弾性力のもとで初期位置に戻り、前記第一スライド板１３が前記第一ばね１２の弾性力のもとで上方にスライドし初期位置に戻り、前記第一スライドブロック２７が前記第二ばね４９の弾性力のもとで初期位置に戻り、前記第一スライドブロック２７が前記第二スライド板２６を上方にスライド連動させ、前記第一ホース２５が前記連通溝２４と前記第二ホース４４とにより接着剤を補充し、前記矩形ブロック１４が前記凹溝１６から伸び出した後、再び前記第一ハンドル１７を回し、縫われた前記断熱材料３１を取り出せばよい。
【００２０】
以上により、本発明の断熱手袋縫い設備は運動エネルギーの利用率が高く、反応が速く、操作が簡単であり、同時に、本発明の装置は接着剤定量吐出効率が高く、メンテナンスが簡単で、実用性が強い。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。